(57)【要約】【課題】ＵＳＢメモリをオーディオ装置に接続した時に、そのオーディオ装置の自動的な動作がユーザにとって便利なようにする。【解決手段】ユーザが入力部６のモード切替キーを押下することによって第１モードと第２モードのどちらかを選択する。第１モードでは、ユーザがＵＳＢメモリ１４をＵＳＢコントローラ８のＵＳＢポートに接続すると、ＵＳＢメモリ１４に記録されたオーディオファイルがＤＳＰ１０に転送され、ＤＳＰ１０によって伸長・復号化される。第２モードでは、ディスク型記録媒体１３のオーディオファイル又はオーディオトラックが再生されている場合に、ユーザがＵＳＢメモリ１４をＵＳＢコントローラ８のＵＳＢポートに接続すると、その再生が引き続き行われる。【選択図】図１
2007179634.tif 000002
【特許請求の範囲】
【請求項１】
オーディオ再生可能な再生部と、
ディスク型記録媒体を読み取り可能なディスクドライブと、
ＵＳＢメモリを着脱可能とし、ＵＳＢメモリを読み取り可能なＵＳＢコントローラと、
前記ディスクドライブ、前記再生部及び前記ＵＳＢコントローラを制御するコントローラと、
操作されることにより操作信号を前記コントローラに出力する入力部と、を備え、
前記コントローラは、
前記入力部が操作されるごとに、第１モードと第２モードとで切り替える切替手段と、
前記ＵＳＢコントローラにＵＳＢメモリが接続されたか否かを判定する判定手段と、
前記切替手段により第１モードに切り替えられている場合であって、前記判定手段によりＵＳＢメモリが前記ＵＳＢコントローラに接続されたと判定された場合に、そのＵＳＢメモリを前記ＵＳＢコントローラに読み取りを行わせ、そのＵＳＢメモリのオーディオ再生を前記再生部で再生させる第１再生手段と、
前記切替手段により第２モードに切り替えられている場合であって、前記判定手段によりＵＳＢメモリが前記ＵＳＢコントローラに接続されたと判定された場合に、ディスク型記録媒体を前記ディスクドライブに読み取りを行わせ、そのディスク型記録媒体のオーディオ再生を前記再生部で再生させる第２再生手段と、を備えることを特徴とするオーディオ装置。
【請求項２】
前記第２再生手段は、ディスク型記録媒体の読み取りが前記ディスクドライブにより行われてそのディスク型記録媒体のオーディオ再生が前記再生部により再生されている場合に、その再生を継続させることを特徴とする請求項１に記載のオーディオ装置。
【請求項３】
前記コントローラが、前記切替手段により第１モードに切り替えられている場合であって、前記判定手段によりＵＳＢメモリが前記ＵＳＢコントローラに接続されたと判定された場合に、そのＵＳＢメモリにオーディオファイルが記録されているか否かを判定する第２判定手段を更に備え、
前記第１再生手段は、前記第２判定手段によりオーディオファイルが記録されていると判定された場合に、ＵＳＢメモリを前記ＵＳＢコントローラに読み取りを行わせ、そのＵＳＢメモリのオーディオ再生を前記再生部で再生させることを特徴とする請求項１又は２に記載のオーディオ装置。
【請求項４】
前記コントローラが、前記第２判定手段によりオーディオファイルが記録されていないと判定された場合に、表示部にエラー表示を行わせる手段を更に備えることを特徴とする請求項３に記載のオーディオ装置。
【発明の詳細な説明】
【技術分野】
【０００１】
本発明は、オーディオ装置に関する。
【背景技術】
【０００２】
近年、車載用オーディオプレイヤーはディスクドライブを備え、ＣＤ−ＤＡ型の記録方式の音楽ＣＤに記録された曲だけなく、ＣＤ−ＲＯＭ型のデータＣＤに記録された曲（例えば、ＭＰ３形式の音楽ファイル）も再生できるようになっている。
【０００３】
また、ＵＳＢ（Universal Serial Bus）ポートを有した機器が開発され、例えば特許文献１に記載されているようなノートブック型ＰＣがある。このノートブック型ＰＣのハードディスクに記録された曲がノートブック型ＰＣによって復号化により再生され、ＰＣＭ形式のデジタルオーディオ信号がノートブック型ＰＣからＵＳＢケーブルを通じて変換ユニットに出力され、変換ユニットによってアナログオーディオ信号に変換され、そのアナログオーディオ信号がオーディオケーブルを通じて車載用オーディオプレイヤーに出力され、車載用オーディオプレイヤーのスピーカから音楽が流れる。
【０００４】
また、近年、ハードディスクや半導体メモリの大容量化が進み、更にハードディスクや半導体メモリを可搬性にしたものも普及している。ハードディスクや半導体メモリを搭載した可搬性のＵＳＢメモリも普及し、そのようなＵＳＢメモリを機器のＵＳＢポートに接続すれば、機器によってＵＳＢメモリの読み取りが可能となる。
【特許文献１】特開２００３−２１６２８９号公報
【発明の開示】
【発明が解決しようとする課題】
【０００５】
ところで、ディスクドライブとＵＳＢポートの両方を搭載した車載用オーディオプレイヤーの研究・開発が行われている。このような車載用オーディオプレイヤーでは、ＣＤに記録された音楽を再生することができるとともに、ＵＳＢメモリに記録されたオーディオファイルの再生もできる。
【０００６】
このような車載用オーディオプレイヤーの便利なユーザインターフェースは確立されていない。単純なユーザインターフェースとして、ユーザがＣＤをディスクドライブに装着したら、車載用オーディオプレイヤーが自動的にＣＤの音楽再生を行い、ユーザがＵＳＢメモリをＵＳＢポートにしたら、車載用オーディオプレイヤーが自動的にＵＳＢメモリのオーディオファイルの再生を行うというものがある。このようなユーザインターフェースでは、ＣＤの再生中にＵＳＢメモリをＵＳＢポートに接続したら、ＣＤの再生が中断されるので、ユーザによっては不便と感じることがある。
【０００７】
そこで、本発明は上記課題を解決しようとしてなされたものであり、ＵＳＢメモリをオーディオ装置に接続した時に、そのオーディオ装置の自動的な動作がユーザにとって便利なようにすることを目的とする。
【課題を解決するための手段】
【０００８】
以上の課題を解決するために、本発明においては、オーディオ装置が、オーディオ再生可能な再生部と、ディスク型記録媒体を読み取り可能なディスクドライブと、ＵＳＢメモリを着脱可能とし、ＵＳＢメモリを読み取り可能なＵＳＢコントローラと、前記ディスクドライブ、前記再生部及び前記ＵＳＢコントローラを制御するコントローラと、操作されることにより操作信号を前記コントローラに出力する入力部と、を備え、前記コントローラは、前記入力部が操作されるごとに、第１モードと第２モードとで切り替える切替手段と、前記ＵＳＢコントローラにＵＳＢメモリが接続されたか否かを判定する判定手段と、前記切替手段により第１モードに切り替えられている場合であって、前記判定手段によりＵＳＢメモリが前記ＵＳＢコントローラに接続されたと判定された場合に、そのＵＳＢメモリを前記ＵＳＢコントローラに読み取りを行わせ、そのＵＳＢメモリのオーディオ再生を前記再生部で再生させる第１再生手段と、前記切替手段により第２モードに切り替えられている場合であって、前記判定手段によりＵＳＢメモリが前記ＵＳＢコントローラに接続されたと判定された場合に、ディスク型記録媒体を前記ディスクドライブに読み取りを行わせ、そのディスク型記録媒体のオーディオ再生を前記再生部で再生させる第２再生手段と、を備えるという構成を採っている。
【０００９】
好ましくは、前記第２再生手段は、ディスク型記録媒体の読み取りが前記ディスクドライブにより行われてそのディスク型記録媒体のオーディオ再生が前記再生部により再生されている場合に、その再生を継続させる。
【００１０】
好ましくは、前記コントローラが、前記切替手段により第１モードに切り替えられている場合であって、前記判定手段によりＵＳＢメモリが前記ＵＳＢコントローラに接続されたと判定された場合に、そのＵＳＢメモリにオーディオファイルが記録されているか否かを判定する第２判定手段を更に備え、前記第１再生手段は、前記第２判定手段によりオーディオファイルが記録されていると判定された場合に、ＵＳＢメモリを前記ＵＳＢコントローラに読み取りを行わせ、そのＵＳＢメモリのオーディオ再生を前記再生部で再生させる。
【００１１】
好ましくは、前記コントローラが、前記第２判定手段によりオーディオファイルが記録されていないと判定された場合に、表示部にエラー表示を行わせる手段を更に備える。
【発明の効果】
【００１２】
本発明によれば、ユーザが入力部を操作することによって第１モードに切り替わっている場合には、ユーザがＵＳＢメモリをＵＳＢコントローラに接続すると、ＵＳＢメモリのオーディオ再生が自動的に行われる。一方、ユーザが入力部を操作することによって第２モードに切り替わっている場合には、ユーザがＵＳＢメモリをＵＳＢコントローラに接続したものとしても、ＵＳＢメモリのオーディオ再生が行われず、ディスク型記録媒体のオーディオ再生が行われてそのオーディオ再生が継続される。これにより、ユーザが好みにより第１モードと第２モードのどちらかを選択でき、より快適なオーディオ再生環境をユーザに提供することができ、ユーザにとってより便利になる。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
図１は車載用オーディオ装置１のブロック図である。図１に示すように、車載用オーディオ装置１は、システムコントローラ２と、ＲＡＭ３と、記憶部４と、表示部５と、入力部６と、ディスクドライブ７と、ＵＳＢ（Universal Serial Bus）コントローラ８と、切替スイッチ９と、ＤＳＰ（Digital Signal Processor）１０と、アンプ１１と、スピーカ１２とを備える。
【００１５】
ディスクドライブ７は、光ピックアップ等を有し、ディスク型記録媒体１３に記録された情報を読み取る。ディスク型記録媒体１３は、ミニディスク、コンパクトディスク又はＤＶＤディスクである。また、ディスク型記録媒体１３は、オーディオトラックを記録した記録媒体（例えば、ＣＤ−ＤＡ型のコンパクトディスク：所謂音楽ＣＤ）であっても良いし、所定形式（例えば、ＭＰ３形式、ＷＭＡ形式、ＡＡＣ形式又はＡＴＲＡＣ３形式）で圧縮して符号化したオーディオファイルを記録した記録媒体（例えば、ＣＤ−ＲＯＭ型のコンパクトディスク：所謂データＣＤ）であっても良い。ディスク型記録媒体１３に記録されたオーディオファイル又はオーディオトラックは、ディスクドライブ７によって読み取られる。なお、ディスク型記録媒体１３はディスクドライブ７に対して着脱可能とされ、ディスク型記録媒体１３がディスクドライブ７に装着された場合に、ディスクドライブ７によってディスク型記録媒体１３の読み取りが可能となる。
【００１６】
ＵＳＢコントローラ８はＵＳＢポートを有し、そのＵＳＢポートにＵＳＢデバイスが接続された場合に、その旨の信号をシステムコントローラ２に出力し、ＵＳＢポートからＵＳＢデバイスが外れた場合に、その旨の信号をシステムコントローラ２に出力する。また、ＵＳＢコントローラ８は、ＵＳＢポートに接続されたＵＳＢデバイスに対してＵＳＢ規格に従ったデータ転送を行ったり、ＵＳＢデバイスに電力を供給したりする。ＵＳＢデバイスにＵＳＢコントローラ８から供給される電力の電流には上限があり、以下ではその上限を超える電流を過電流という。例えば、ＵＳＢコントローラ８から供給される電力の電流が５００ｍＡを越えると過電流となる。
【００１７】
ＵＳＢコントローラ８に接続可能なＵＳＢデバイスとして、ＵＳＢメモリ１４がある。ＵＳＢメモリ１４は、ハードディスク又は不揮発性半導体記憶メモリと、ＵＳＢ転送部等とを有し、ＵＳＢコントローラ８から給電された電力により動作し、ＵＳＢコントローラ８にＵＳＢ規格に従ったデータ転送を行ったりする。
【００１８】
また、ＵＳＢメモリ１４には、所定形式（例えば、ＭＰ３形式、ＷＭＡ形式、ＡＡＣ形式又はＡＴＲＡＣ３形式）で圧縮されて符号化されたオーディオファイルが記録され、そのオーディオファイルがＵＳＢコントローラ８に転送される。なお、ＵＳＢメモリ１４には、オーディオファイルの代わりに別のファイルが記録されていても良いし、オーディオファイル及び別のファイルの両方が記録されていても良いし、何のデータも記録されていなくても良い。
【００１９】
切替スイッチ９は、ＵＳＢコントローラ８から転送されたオーディオファイルと、ディスクドライブ７から転送されたオーディオファイル又はオーディオトラックとを選択的にＤＳＰ１０に出力する。
【００２０】
ＤＳＰ１０は、オーディオ再生可能な再生部である。つまり、ＤＳＰ１０は、切替スイッチ９から転送されたオーディオファイルを復号化して伸長し、オーディオファイルに従ったデジタルオーディオ信号を生成し、そのデジタルオーディオ信号をアンプ１１に出力する。また、ＤＳＰ１０は、切替スイッチ９から転送されたオーディオトラックを信号処理して、オーディオトラックに従ったデジタルオーディオ信号を生成し、そのデジタルオーディオ信号をアンプ１１に出力する。なお、ＤＳＰ１０の代わりにハードウェアコーデックを用いても良い。
【００２１】
アンプ１１はデジタルアンプであり、ＤＳＰ１０から入力したデジタルオーディオ信号をスイッチング素子によりスイッチング増幅し、その増幅した信号からローパスフィルタによりアナログオーディオ信号を抽出して、スピーカ１２に出力する。
【００２２】
スピーカ１２は、アンプ１１から入力したオーディオ信号を音に変換する電気音響変換器であり、アンプ１１から入力したオーディオ信号に従って音を出力する。
【００２３】
表示部５は、液晶ディスプレイ又はエレクトロルミネッセンスディスプレイいった表示装置であり、システムコントローラ２から入力される表示制御信号に従って表示を行う。例えば、表示部５には、再生中のオーディオファイル又はオーディオトラックの番号が表示されたり、エラーの旨が表示されたりする。
【００２４】
入力部６は、各種の入力キーを有し、これら入力キーの操作に対応する操作信号をシステムコントローラ２に出力する。
【００２５】
入力部６の入力キーとして、再生するオーディオファイル又はオーディオトラックを次の番号のものに切り替えるトラックアップキーと、再生するオーディオファイル又はオーディオトラックを前の番号のものに切り替えるトラックダウンキーとがある。
【００２６】
また、入力部６の入力キーの１つとして、ファンクション切替キーがある。ファンクション切替キーは、ＵＳＢメモリ１４のオーディオファイルを再生する状態（以下、メモリ再生モードという。）からディスク型記録媒体１３のオーディオファイル又はオーディオトラックを再生する状態（以下、ディスク再生モードという。）に切り替えたり、その逆に切り替えたりするための入力キーである。
【００２７】
また、入力部６の入力キーの１つとして、モード切替キーがある。モード切替キーは、第１モードから第２モードに又はその逆に切り替えるための入力キーである。第１モードとは、ディスク再生モードにおいてＵＳＢメモリ１４がＵＳＢコントローラ８のＵＳＢポートに接続された場合に、メモリ再生モードに切り替わってＵＳＢメモリ１４のオーディオファイルを再生するモードである。また、第２モードとは、ディスク再生モードにおいてＵＳＢメモリ１４がＵＳＢコントローラ８のＵＳＢポートに接続された場合に、そのままディスク再生モードを維持するモードである。
【００２８】
記憶部４は読み書き可能な不揮発性半導体記憶メモリ又は読み書き可能なハードディスクであり、記憶部４には、システムコントローラ２にとって読取可能・実行可能なプログラムが格納されている。
【００２９】
ＲＡＭ３は、システムコントローラ２にワークエリアを提供し、システムコントローラ２によるプログラムの実行時に生じる処理結果等のデータをワークエリアに一時的に記憶する。システムコントローラ２によってＲＡＭ３に一時的に記憶されるデータとしては、メモリ再生モードであるか又はディスク再生モードであるかを表すファンクションフラグ（０：メモリ再生モード、１：ディスク再生モード）がある。また、システムコントローラ２によってＲＡＭ３に一時的に記憶されるデータとしては、第１モードであるか又は第２モードであるかを表すモードフラグ（０：第１モード、１：第２モード）がある。
【００３０】
システムコントローラ２は、ＣＰＵ等を有し、記憶部４に格納されたプログラムに従って車載用オーディオ装置１の統括的な制御を行う機能を有する。システムコントローラ２は、切替スイッチ９の出力の切替を行う手段と、ディスク型記録媒体１３に格納された情報の読み取りをディスクドライブ７に行わせる手段と、データ転送をＵＳＢコントローラ８に行わせる手段と、オーディオファイルの伸長・復号化やオーディオトラックの信号処理をＤＳＰ１０に行わせる手段と、ＵＳＢコントローラ８から供給される電力の電流が過電流であるか否かを判定する手段とに機能する。
【００３１】
また、システムコントローラ２は記憶部４のプログラムによって次のような手段としても機能する。つまり、システムコントローラ２は、入力部６のモード切替キーが押下されるごとに、ＲＡＭ３に記憶するファンクションフラグを「０：メモリ再生モード」から「１：ディスクモード」に又はその逆に書き替える手段として機能する。また、システムコントローラ２は、入力部６のモード切替キーが押下されるごとに、ＲＡＭ３に記憶するモードフラグを「０：第１モード」から「１：第２モード」に又はその逆に書き替える切替手段として機能する。また、システムコントローラ２は、ＵＳＢコントローラ８のＵＳＢポートにＵＳＢメモリ１４等のＵＳＢデバイスが接続されたか否かを判定する判定手段として機能する。また、システムコントローラ２は、ＲＡＭ３に記憶されたモードフラグが「０：第１モード」である場合であって、ＵＳＢメモリ１４がＵＳＢコントローラ８のＵＳＢポートに接続された場合に、ＵＳＢメモリ１４のデータ転送をＵＳＢコントローラ８に行わせ、そのＵＳＢメモリ１４に記録されたオーディオファイルの伸長・復号化をＤＳＰ１０で行わせる第１再生手段として機能する。また、システムコントローラ２は、ＲＡＭ３に記憶されたモードフラグが「１：第２モード」である場合であって、ＵＳＢメモリ１４がＵＳＢコントローラ８のＵＳＢポートに接続された場合に、ＲＡＭ３に記憶されたファンクションフラグが「１：ディスク再生モード」であることによりディスク型記録媒体１３に記録されたオーディオファイル又はオーディオトラックがディスクドライブ７に読み取られてそのオーディオファイル又はオーディオトラックがＤＳＰ１０により再生されているときに、その再生を継続させる第２再生手段として機能する。
【００３２】
なお、ＤＳＰ１０又はハードウェアコーデックの代わりに、システムコントローラ２が記憶部４のプログラムによってソフトウェアコーデック（再生部）として機能し、システムコントローラ２においてオーディオ再生するようにしても良い。システムコントローラ２がソフトウェアコーデックとして機能させるためのプログラムは、記憶部４ではなく、ＵＳＢメモリ１４に記録されていても良い。この場合、ＵＳＢメモリ１４がＵＳＢコントローラ８のＵＳＢポートに接続された場合に、システムコントローラ２がＵＳＢメモリ１４のプログラムを読み取って、システムコントローラ２がソフトウェアコーデックとして機能する。
【００３３】
次に、車載用オーディオ装置１の動作について説明する。
まず、入力部６のファンクション切替キーの押下に伴う車載用オーディオ装置１の動作について説明する。
ユーザが入力部６のファンクション切替キーを押下すると、その旨の操作信号がシステムコントローラ２に入力され、システムコントローラ２がＲＡＭ３のファンクションフラグを書き替える。
【００３４】
ここで、システムコントローラ２がＲＡＭ３のファンクションフラグを「０：メモリ再生モード」から「１：ディスク再生モード」に書き替える場合には、システムコントローラ２が切替スイッチ９に切替信号を出力することによって切替スイッチ９の入力をディスクドライブ７に切り替える。この時、ディスクドライブ７にディスク型記録媒体１３がセッティングされている場合には、システムコントローラ２がディスクドライブ７に読み取りを行わせ、ディスク型記録媒体１３に記録されたオーディオファイル又はオーディオトラックがディスクドライブ７によって読み取られ、読み取られたオーディオファイルがＤＳＰ１０によって伸長・復号化され又は読み取られたオーディオトラックがＤＳＰ１０によって信号処理され、ＤＳＰ１０から出力されたオーディオ信号がアンプ１１によってスイッチング増幅されて且つデジタル／アナログ変換され、オーディオ信号がスピーカ１２によって音に変換される。これにより、ディスク型記録媒体１３に記録されたオーディオファイル又はオーディオトラックの再生が行われる。
【００３５】
一方、システムコントローラ２がＲＡＭ３のファンクションフラグを「１：ディスク再生モード」から「０：メモリ再生モード」に書き替える場合には、システムコントローラ２が切替スイッチ９に切替信号を出力することによって切替スイッチ９の入力をＵＳＢコントローラ８に切り替える。この時、ＵＳＢコントローラ８のＵＳＢポートにＵＳＢメモリ１４が接続されている場合には、システムコントローラ２がＵＳＢコントローラ８にデータ転送を行わせ、ＵＳＢメモリ１４に記録されたオーディオファイルがＵＳＢコントローラ８に転送され、転送されたオーディオファイルがＤＳＰ１０によって伸長・復号化され、ＤＳＰ１０から出力されたオーディオ信号がアンプ１１によってスイッチング増幅されて且つデジタル／アナログ変換され、オーディオ信号がスピーカ１２によって音に変換される。これにより、ＵＳＢメモリ１４に記録されたオーディオファイルの再生が行われる。
【００３６】
なお、ユーザが入力部６のファンクション切替キーを押下するごとに、ＲＡＭ３のファンクションフラグが「０」から「１」へ又はその逆に書き替えられとともに切替スイッチ９の入力の切替も行われる。
【００３７】
次に、入力部６のモード切替キーの押下に伴う車載用オーディオ装置１の動作について説明する。
ユーザが入力部６のモード切替キーを押下すると、その旨の操作信号がシステムコントローラ２に入力され、システムコントローラ２がＲＡＭ３のモードフラグを「０：第１モード」から「１：第２モード」へ又はその逆に書き替える。このようなモードフラグの書き替えは、ユーザが入力部６のモード切替キーを押下するごとに行われる。
【００３８】
次に、ＲＡＭ３に記憶されたモードフラグが「０：第１モード」である場合の車載用オーディオ装置１の動作について説明する。
【００３９】
図２に示すように、システムコントローラ２はＵＳＢコントローラ８のＵＳＢポートに対してＵＳＢメモリ１４が着脱されたか否かを判定し（ステップＳ１）、ＵＳＢポートにＵＳＢメモリ１４が接続された場合又はＵＳＢポートからＵＳＢメモリ１４が外れた場合（ステップＳ１：Ｙｅｓ）、システムコントローラ２の処理がステップＳ２に移行する。一方、ＵＳＢコントローラ８のＵＳＢポートに対してＵＳＢメモリ１４が着脱されなかった場合（ステップＳ１：Ｎｏ）、システムコントローラ２の処理がステップＳ９に移行する。
【００４０】
ステップＳ２では、システムコントローラ２はＵＳＢコントローラ８のＵＳＢポートに対してＵＳＢメモリ１４が接続されているか否かを判定し、ＵＳＢポートにＵＳＢメモリ１４が接続されている場合（ステップＳ２：Ｙｅｓ）、システムコントローラ２の処理がステップＳ３に移行し、ＵＳＢポートにＵＳＢメモリ１４が接続されていない場合（ステップ２：Ｎｏ）、システムコントローラ２の処理がステップＳ８に移行する。
【００４１】
ここで、ユーザがＵＳＢメモリ１４をＵＳＢコントローラ８のＵＳＢポートに接続すると、システムコントローラ２の処理はステップＳ１ではステップＳ２に移行し、ステップＳ２ではステップＳ３に移行する。一方、ユーザがＵＳＢメモリ１４をＵＳＢコントローラ８のＵＳＢポートから外すと、システムコントローラ２の処理はステップＳ１ではステップＳ２に移行し、ステップＳ２ではステップＳ８に移行する。また、ユーザがＵＳＢメモリ１４の着脱を行わないと、システムコントローラ２の処理はステップＳ１ではステップＳ９に移行する。
【００４２】
ステップＳ３では、システムコントローラ２は、ＵＳＢコントローラ８から供給される電力の電流が過電流であるか否かを判定する。ＵＳＢコントローラ８から供給される電力の電流が過電流である場合（ステップＳ３：Ｙｅｓ）、システムコントローラ２の処理がステップＳ８に移行し、ＵＳＢコントローラ８から供給される電力の電流が過電流でない場合、システムコントローラ２の処理がステップＳ４に移行する。
【００４３】
ステップＳ４では、システムコントローラ２は、ＵＳＢコントローラ８を通じてＵＳＢメモリ１４の記録内容を読み取り、ＵＳＢメモリ１４に記録されているファイルを解析する。そして、システムコントローラ２は、解析の結果、オーディオファイルがＵＳＢメモリ１４に記録されているか否かを判定する（ステップＳ５）。ステップＳ５の判定の結果、ＵＳＢメモリ１４にオーディオファイルが記録されていない場合には（ステップＳ５：Ｎｏ）、システムコントローラ２の処理がステップＳ８に移行し、ＵＳＢメモリ１４にオーディオファイルが記録されている場合には（ステップＳ５：Ｙｅｓ）、システムコントローラ２の処理がステップＳ６に移行する。なお、ＵＳＢコントローラ８のＵＳＢポートに接続したＵＳＢデバイスがＵＳＢメモリでない場合には、このステップＳ５からステップＳ８に移行する。
【００４４】
ステップＳ６では、システムコントローラ２は、ＲＡＭ３のファンクションフラグを「０：メモリ再生モード」に書き替える。なお、システムコントローラ２の処理がステップＳ６に移行するとき、ＲＡＭ３のファンクションフラグが「０：メモリ再生モード」として記憶されているときには、ステップＳ６においてシステムコントローラ２は、ファンクションフラグを「０：メモリ再生モード」としてＲＡＭ３に記憶する。
【００４５】
ステップＳ６の次のステップＳ７では、システムコントローラ２が切替スイッチ９の入力をＵＳＢコントローラ８側にし、システムコントローラ２がＵＳＢコントローラ８にデータ転送を行わせることによって、ＵＳＢメモリ１４に記録されたオーディオファイルがＤＳＰ１０によって伸長・復号化され、オーディオ信号がアンプ１１を介してスピーカ１２に出力され、そのオーディオ信号がスピーカ１２によって音に変換される。これにより、ＵＳＢメモリ１４に記録されたオーディオファイルの再生が自動的に行われる。そして、システムコントローラ２の処理が終了する。
【００４６】
ステップＳ８では、システムコントローラ２がエラー表示制御信号を表示部５に出力することによって、表示部５においてエラー表示が行われる。そして、システムコントローラ２の処理がステップＳ９に移行する。
【００４７】
ステップＳ９では、ＲＡＭ３のファンクションフラグが「１：ディスク再生モード」である場合であって、更にディスク型記録媒体１３のオーディオファイル又はオーディオトラックの再生が行われている場合、その再生が継続される。そして、システムコントローラ２の処理が終了する。
【００４８】
次に、ＲＡＭ３に記憶されたモードフラグが「１：第２モード」である場合の車載用オーディオ装置１の動作について説明する。
図３に示すように、システムコントローラ２は、上記ステップＳ１と同様なステップＳ２１の処理を行うとともに、上記ステップＳ２と同様なステップＳ２２の処理を行う。そのため、ユーザがＵＳＢメモリ１４をＵＳＢコントローラ８のＵＳＢポートに接続すると、システムコントローラ２の処理はステップＳ２１ではステップＳ２２に移行し、ステップＳ２２ではステップＳ２３に移行する。一方、ユーザがＵＳＢメモリ１４をＵＳＢコントローラ８のＵＳＢポートから外すと、システムコントローラ２の処理はステップＳ２１ではステップＳ２２に移行し、ステップＳ２２ではステップＳ２８に移行する。また、ユーザがＵＳＢメモリ１４の着脱を行わないと、システムコントローラ２の処理はステップＳ２１ではステップＳ２９に移行する。
【００４９】
ステップＳ２３では、システムコントローラ２は、ＵＳＢコントローラ８から供給される電力の電流が過電流であるか否かを判定する。ＵＳＢコントローラ８から供給される電力の電流が過電流である場合（ステップＳ２３：Ｙｅｓ）、システムコントローラ２の処理がステップＳ２８に移行し、ＵＳＢコントローラ８から供給される電力の電流が過電流でない場合、システムコントローラ２の処理がステップＳ２４に移行する。
【００５０】
ステップＳ２４では、システムコントローラ２は、ＲＡＭ３に記憶されているファンクションフラグが「０：メモリ再生モード」であるか否かを判定する。ＲＡＭ３に記憶されているファンクションフラグが「０：メモリ再生モード」である場合（ステップＳ２４：Ｙｅｓ）、システムコントローラ２の処理がステップＳ２５に移行し、ＲＡＭ３に記憶されているファンクションフラグが「０：メモリ再生モード」でない場合（ステップＳ２４：Ｎｏ）、システムコントローラ２の処理がステップＳ２９に移行する。
【００５１】
ステップＳ２５では、上記ステップＳ４と同様に、システムコントローラ２は、ＵＳＢメモリ１４に記録されているファイルを解析する。そして、システムコントローラ２は、解析の結果、オーディオファイルがＵＳＢメモリ１４に記録されているか否かを判定し（ステップＳ２６）、ＵＳＢメモリ１４にオーディオファイルが記録されている場合には（ステップＳ２６：Ｙｅｓ）、システムコントローラ２の処理がステップＳ２７に移行し、ＵＳＢメモリ１４にオーディオファイルが記録されていない場合には（ステップＳ２６：Ｎｏ）、システムコントローラ２の処理がステップＳ２８に移行する。なお、ＵＳＢコントローラ８のＵＳＢポートに接続したＵＳＢデバイスがＵＳＢメモリでない場合には、このステップＳ２６からステップＳ２８に移行する。
【００５２】
ステップＳ２７では、上記ステップＳ７と同様に、ＵＳＢメモリ１４に記録されたオーディオファイルの再生が行われる。そして、システムコントローラ２の処理が終了する。
【００５３】
ステップＳ２８では、上記ステップＳ８と同様に、システムコントローラ２が表示部５にエラー表示させ、その後、システムコントローラ２の処理がステップＳ２９に移行する。
【００５４】
ステップＳ２９では、ＲＡＭ３のファンクションフラグが「１：ディスク再生モード」である場合であって、更にディスク型記録媒体１３のオーディオファイル又はオーディオトラックの再生が行われている場合、その再生が継続される。そして、システムコントローラ２の処理が終了する。
【００５５】
以上のように、本実施形態によれば、ユーザが入力部６のモード切替キーを押下することによって第１モードに切り替わっている場合には、ユーザがＵＳＢメモリ１４をＵＳＢコントローラ８のＵＳＢポートに接続すると（ステップＳ１：Ｙｅｓ、ステップＳ２：Ｙｅｓ）、ＵＳＢメモリ１４のオーディオファイルの再生が自動的に行われる（ステップＳ７）。一方、ユーザが入力部６のモード切替キーを押下することによって第２モードに切り替わっている場合には、ユーザがＵＳＢメモリ１４をＵＳＢコントローラ８のＵＳＢポートに接続したものとしても（ステップＳ２１：Ｙｅｓ、ステップＳ２２：Ｙｅｓ）、ＵＳＢメモリ１４のオーディオ再生が行われず、ディスク型記録媒体１３のオーディオ再生が行われてそのオーディオ再生が継続される（ステップＳ２９）。これにより、ユーザが好みにより第１モードと第２モードのどちらかを選択でき、より快適なオーディオ再生環境をユーザに提供することができ、ユーザにとってより便利になる。
【００５６】
また、第１モードでは、ユーザがＵＳＢメモリ１４をＵＳＢコントローラ８のＵＳＢポートに接続すると、自動的にメモリ再生モードに切り替わるので、ＵＳＢメモリ１４に記録されたオーディオファイルの音楽等を試聴したい場合には、入力部６のファンクション切替キーを押下する手間が省ける。一方、第２モードでは、ユーザがＵＳＢメモリ１４をＵＳＢコントローラ８のＵＳＢポートに接続したものとしても、自動的にメモリ再生モードに切り替わらないので、引き続きディスク型記録媒体１３に記録された音楽を引き続き試聴することができる。
【００５７】
また、第１モードと第２モードのどちらでも、ユーザがＵＳＢデバイスをＵＳＢコントローラ８のＵＳＢポートに接続した時に、そのＵＳＢデバイスがＵＳＢメモリでない場合、ＵＳＢメモリであったものとしてもオーディオファイルが記録されていない場合、又は、ＵＳＢデバイスへの電力供給が過電流状態となる場合、表示部５にエラー表示が行われる。そのため、エラーを回避すべき状態を早急にユーザに伝えることができる。
【図面の簡単な説明】
【００５８】
【図１】車載用オーディオ装置のブロック図である。
【図２】第１モードにおけるシステムコントローラの処理の流れを示したフローチャートである。
【図３】第２モードにおけるシステムコントローラの処理の流れを示したフローチャートである。
【符号の説明】
【００５９】
１  車載用オーディオ装置
２  システムコントローラ
３  ＲＡＭ
４  記憶部
５  表示部
６  入力部
７  ディスクドライブ
８  ＵＳＢコントローラ
９  切替スイッチ
１０  ＤＳＰ
１１  アンプ
１２  スピーカ
１３  ディスク型記録媒体
１４  ＵＳＢメモリ
【図１】
2007179634.tif 000003
【図２】
2007179634.tif 000004
【図３】
2007179634.tif 000005